(57)【要約】    【課題】  本発明は、操作部材の位置決め部を外部に露出することなく形成することができる電子機器を提供する。    【解決手段】  電子スチルカメラ２０は、カメラ後側筐体２と、インナー部材９と、操作部材１４と、長穴９ａと、突起１４ａとを備え、操作部材１４は、インナー部材９に形成されている長穴９ａに、操作部材１４に形成されている突起１４ａを嵌合させることにより、カメラ後側筐体２に対して位置決めされる。【選択図】      図４
2006208800.tif 000002
【特許請求の範囲】
【請求項１】
少なくとも１つの穴を有する筐体と、前記筐体の内側に設けられた内部構成部材と、前記筐体の内側に設けられた操作部材と、前記操作部材に設けられると共に前記穴から前記筐体の外側に突出する少なくとも１つの操作ボタンとを備える電子機器において、前記内部構成部材に形成された所定形状部と、前記操作部材に形成されると共に前記所定形状部とほぼ相補的な形状を有する相補的形状部とを備え、前記操作部材は、前記所定形状部に前記相補的形状部を嵌合させることにより前記筐体に対して位置決めされることを特徴とする電子機器。
【請求項２】
前記所定形状部は長穴であり、前記相補的形状部は突起であることを特徴とする請求項１記載の電子機器。
【請求項３】
前記筐体は、前側筐体及び後側筐体から構成され、前記内部構成部材は、前記前側筐体及び前記後側筐体を互いに係止する係止部を有することを特徴とする請求項１又は２記載の電子機器。
【請求項４】
前記操作ボタンは、円形の操作ボタンから構成されることを特徴とする請求項１乃至３のいずれか１項に記載の電子機器。
【請求項５】
前記操作ボタンは、円形の操作ボタンと、前記円形の操作ボタンの外周に設けられた環状の操作ボタンから構成されることを特徴とする請求項１乃至３のいずれか１項に記載の電子機器。
【請求項６】
前記操作部材に係止される他の操作部材を備えることを特徴とする請求項１乃至５のいずれか１項に記載の電子機器。
【発明の詳細な説明】
【技術分野】
【０００１】
本発明は、電子機器に関し、特に、筐体の外部に突出した操作ボタンを有する電子機器に関する。
【背景技術】
【０００２】
近年、デジタルカメラ等の撮像装置及び電子機器等の電子機器の多くは、外観を良好にするために、筐体に金属外装を使用している。電子機器の筐体は、一般的に、前側筐体及び後側筐体から構成されており、複数の操作ボタン及び液晶等が、主に筐体の上面及び背面に設けられている。この操作ボタンは、筐体の内部に設けられた操作部材に形成されており、筐体に形成された穴から電子機器の外部に突出している。
【０００３】
この操作部材は、筐体に対して偏心等が生じないように、筐体に設けられた穴又は半抜き部等の位置決め部により筐体に対して位置決めされて筐体自体に保持されているが、筐体に設けられた穴又は半抜き部を考慮して操作ボタンや筐体に印刷される指標等の位置及び大きさ等を決定する必要があるので、外観のデザインの自由度が低い。また、穴又は半抜き部が外部から見えるので、外観を損ねる。
【０００４】
そこで、筐体の内部に設けられる内部構成部材に突起部を設け、この突起部が該内部構成部材の筐体に対する位置決め部、及びダイヤル等の指標を兼ねる撮像装置が提案されている（例えば、特許文献１参照）。
【特許文献１】特開平１１−２５８６７１公報（第９頁、図４）
【発明の開示】
【発明が解決しようとする課題】
【０００５】
しかしながら、上記特許文献１に記載された撮像装置では、位置決め部がダイヤル等の指標を兼ねるので、位置決め部が設けられる位置はダイヤルの周辺に限定され、位置決め部の配置の自由度が低い。また、位置決め部が筐体の外部に露出するので、外観のデザインの自由度が低い。
【０００６】
本発明の目的は、操作部材の位置決め部を外部に露出することなく形成することができる電子機器を提供することにある。
【課題を解決するための手段】
【０００７】
上述の目的を達成するために、請求項１記載の電子機器は、少なくとも１つの穴を有する筐体と、前記筐体の内側に設けられた内部構成部材と、前記筐体の内側に設けられた操作部材と、前記操作部材に設けられると共に前記穴から前記筐体の外側に突出する少なくとも１つの操作ボタンとを備える電子機器において、前記内部構成部材に形成された所定形状部と、前記操作部材に形成されると共に前記所定形状部とほぼ相補的な形状を有する相補的形状部とを備え、前記操作部材は、前記所定形状部に前記相補的形状部を嵌合させることにより前記筐体に対して位置決めされることを特徴とする。  
【発明の効果】
【０００８】
本発明によれば、操作部材は、内部構成部材に形成された所定形状部に、操作部材に形成されると共に所定形状部とほぼ相補的な形状を有する相補的形状部を嵌合させることにより筐体に対して位置決めされるので、操作部材の位置決め部を外部に露出することなく形成することができる。
【発明を実施するための最良の形態】
【０００９】
以下、本発明の実施の形態を図面を参照しながら詳述する。
【００１０】
図１は、本発明の実施の形態に係る電子機器を適用した電子スチルカメラの斜視図である。
【００１１】
図１において、電子スチルカメラ２０は、電子スチルカメラ２０の前面の外装であるカメラ前側筐体１と、電子スチルカメラ２０の背面の外装であるカメラ後側筐体２とを備える。
【００１２】
電子スチルカメラ２０は、また、前面に、撮影光学系を構成している鏡筒３と、被写体像を観察するためのファインダ４と、撮影時の赤目を緩和させるための補助光５とを備え、上面に、ストロボ６と、電源ボタン７と、レリーズボタン８とを備える。
【００１３】
ファインダ４は、鏡筒３のズーム動作に連動して所定のズーム倍率が得られるように位置が変動する。補助光５は、不図示のファインダブロックに一体に形成されている。
【００１４】
図２は、図１の電子スチルカメラ２０の背面図である。
【００１５】
図２において、電子スチルカメラ２０は、ボタン突起１４ｂ、１４ｃ、１５ａ、１５ｂ及び１５ｃと、モードダイヤル１７とを備える。
【００１６】
モードダイヤル１７は、カメラのモード等を変更するために用いられる。ボタン突起１４ｂ、１４ｃ、１５ｂ及び１５ｃは、撮影モード又は再生モードにおいて各種操作に用いられる。ボタン突起１５ａは、上下左右に押圧することにより表示等の選択又は切換えが可能な十字操作ボタンである。
【００１７】
ボタン突起１４ｂ、１４ｃは、後述する図３の操作部材１４に夫々形成されている。
【００１８】
ボタン突起１５ａ、１５ｂ及び１５ｃは、後述する図３の操作部材１５に夫々形成されている。
【００１９】
次に、図３及び図４を用いてカメラ後側筐体２の内部構成を説明する。
【００２０】
図３は、図２におけるカメラ後側筐体２の内部構成を示す分解斜視図である。
【００２１】
図４は、図２におけるカメラ後側筐体２の内部構成を示す正面図である。
【００２２】
図３及び図４において、カメラ後側筐体２の内側には、金属からなるインナー部材９〜１３がスポット溶接等の固定手段で設けられている。カメラ前側筐体１は、このインナー部材９〜１３を介して、不図示のラッチ等の係止手段でカメラ後側筐体２に係止されている。
【００２３】
カメラ後側筐体２には、また、穴２ａ〜２ｆが形成されている。カメラ後側筐体２には、更に、操作部材１４〜１６と、モードダイヤル１７と、ダイヤルクリック部材１８とが設けられる。
【００２４】
穴２ｆ及び穴２ｅには、操作部材１６に形成されている突起１６ａ、突起１６ｂが夫々嵌合され、不図示の接着等の係止手段で保持されている。
【００２５】
操作部材１６に形成されている穴１６ｃには、モードダイヤル１７に形成されているボス１７ａが回転摺動可能に嵌合され、モードダイヤル１７は、ダイヤルクリック部材１８と不図示のビス等の係止手段で保持される。
【００２６】
モードダイヤル１７の回転位置のクリック感を出すために、操作部材１６に形成されているカム形状（不図示）と、ダイヤルクリック部材１８に形成されている複数の穴（不図示）との間には、鋼球等が設けられている。
【００２７】
穴２ｄ、穴２ａ、及び穴２ｂには、操作部材１５に形成されているボタン突起１５ａ、１５ｂ、及び１５ｃが夫々嵌合される。また、操作部材１５は、操作部材１６に形成されている不図示の位置決め部等により操作部材１６に対して位置決めされ、不図示の接着等の係止手段により操作部材１６に係止されている。
【００２８】
穴２ｃには、操作部材１４に形成されているボタン突起１４ｃが嵌合される。また、操作部材１５に形成されている穴１５ｄには、操作部材１４に形成されているボタン突起１４ｂが摺動可能に嵌合される。更に、操作部材１４は、操作部材１５及び操作部材１６に形成されている不図示の位置決め部等により操作部材１５及び操作部材１６に対して夫々位置決めされ、不図示の接着等の係止手段により操作部材１５及び操作部材１６に夫々係止されている。
【００２９】
操作部材１４は、インナー部材９に形成されている長穴９ａに、操作部材１４に形成されている突起１４ａを嵌合させることにより、カメラ後側筐体２に対して位置決めされる。これにより、操作部材の位置決め部を外部に露出することなく形成することができる。
【００３０】
また、カメラ前側筐体１及びカメラ後側筐体２を係止するためのインナー部材９に長穴９ａが形成されているので、位置決め部を設けるために部品数を増やす必要が無く、コストアップを防止することができる。
【００３１】
本実施の形態において、インナー部材９は金属により構成されるとしたが、これに限られるものではなく、樹脂により構成されても本発明と同様の効果を得ることができる。
【００３２】
本発明は、１眼レフカメラ、レンズシャッタカメラ、ビデオカメラ、デジタルカメラ等の種々の形態のカメラ、カメラ以外の光学機器、その他の装置、これらの装置に適用される装置、又はこれらの装置を構成する要素にも適用することができる。
【図面の簡単な説明】
【００３３】
【図１】本発明の実施の形態に係る電子機器を適用した電子スチルカメラの斜視図である。
【図２】図１の電子スチルカメラの背面図である。
【図３】図２におけるカメラ後側筐体の内部構成を示す分解斜視図である。
【図４】図２におけるカメラ後側筐体の内部構成を示す正面図である。
【符号の説明】
【００３４】
２  カメラ後側筐体
９  インナー部材
９ａ  長穴
１４  操作部材
１４ａ  突起
２０  電子スチルカメラ
【図１】
2006208800.tif 000003
【図２】
2006208800.tif 000004
【図３】
2006208800.tif 000005
【図４】
2006208800.tif 000006